(57)【特許請求の範囲】
【請求項１】
画像を表示する表示パネルと、
前記表示パネルが取り付けられる第１取付面と、その反対側に位置する第２取付面と、が形成されており、前記第１取付面に取り付けられた前記表示パネルの一部を覆う表示側筐体と、
前記表示パネルに画像を表示する制御を行うメイン基板と、
前記表示側筐体の前記第２取付面に取り付けられ、当該表示側筐体とともに、少なくとも前記メイン基板を覆う制御側筐体と、
前記表示側筐体及び前記制御側筐体のうち、前記表示側筐体のみに取り付けられ、前記表示パネル、前記表示側筐体、及び前記制御側筐体を支持する支持台と、
を備え、
前記表示側筐体には、前記第２取付面から前記表示パネルの反対側へ突出する突出部が形成されており、
前記突出部には、前記支持台が取り付けられる支持台取付部が形成されていることを特徴とする表示装置。
【請求項２】
請求項１に記載の表示装置であって、
前記突出部は、前記第２取付面の端部から突出するように形成されていることを特徴とする表示装置。
【請求項３】
請求項２に記載の表示装置であって、
前記制御側筐体のうち前記表示パネルの前記突出部に対応する位置には、当該突出部を通すための切欠きが形成されていることを特徴とする表示装置。
【請求項４】
請求項１から３までの何れか一項に記載の表示装置であって、
前記表示側筐体には、表示パネル基板が配置され、
前記表示側筐体は、前記表示パネルのハードウェアに関する制御を行うことを特徴とする表示装置。
【請求項５】
請求項１から４までの何れか一項に記載の表示装置であって、
前記表示側筐体に前記支持台が取り付けられる部分において、前記支持台が前記表示側筐体よりも外側に位置していることを特徴とする表示装置。
【請求項６】
画像を表示する表示パネルの一部を覆うように、当該表示パネルを表示側筐体の第１取付面に取り付ける表示パネル取付工程と、
前記表示パネルに画像を表示する制御を行うメイン基板を、前記表示側筐体と制御側筐体とで覆うように、前記第１取付面の反対側に位置する第２取付面に前記制御側筐体を取り付ける制御側筐体取付工程と、
前記表示パネル、前記表示側筐体、及び前記制御側筐体を支持する支持台を、前記表示側筐体及び前記制御側筐体のうち前記表示側筐体のみに取り付ける支持台取付工程と、
を含み、
前記表示側筐体には、前記第２取付面から前記表示パネルの反対側へ突出する突出部が形成されており、
前記突出部には、前記支持台が取り付けられる支持台取付部が形成されており、
前記支持台取付工程では、前記表示側筐体の前記支持台取付部に前記支持台が取り付けられることを特徴とする表示装置製造方法。
【請求項７】
請求項６に記載の表示装置製造方法であって、
前記表示パネル取付工程、前記制御側筐体取付工程、及び前記支持台取付工程では、複数種類の制御側筐体に対応可能な構成の前記表示パネル及び前記表示側筐体が用いられることを特徴とする表示装置製造方法。
【発明の詳細な説明】
【技術分野】
【０００１】
本発明は、主として、支持台に支持される表示装置に関する。
【背景技術】
【０００２】
従来から、表示側筐体と、制御側筐体と、支持台と、を備える表示装置が知られている。表示側筐体は、表示画面を露出させつつ表示パネル（液晶パネル等）を覆う部材である。制御側筐体は、表示側筐体の裏面に取り付けられ、各種の制御を行う基板を覆う部材である。支持台は、制御側筐体に取り付けられ、表示側筐体及び制御側筐体を所定の傾きで支持する部材である。
【０００３】
ここで、既存の表示装置を改良したり、新たな表示装置を開発したりする場合、新たな機能が追加されるに伴って基板の形状が変化したり、基板に新たな部品が取り付けられる。また、基板の配置又は外部インタフェースが変化することもある。そのため、表示装置の改良時又は新規開発時には、制御側筐体を新たに設計する必要がある。
【先行技術文献】
【特許文献】
【０００４】
【特許文献１】特開２００２−７７６７７号公報
【発明の概要】
【発明が解決しようとする課題】
【０００５】
しかし、従来の表示装置において支持台は制御側筐体に取り付けられていたため、制御側筐体の形状が変化した場合、それに合わせて支持台を新たに設計する必要がある。また、新たに設計した支持台を製造するために、新たに金型を作成する必要がある。更に、支持台の取付方法が従来から変化するため、作業者が覚える作業が増えるため、作業者にとっても負担となる。
【０００６】
ここで、特許文献１は、液晶パネルのサイズが変更された場合であっても、この液晶パネルに応じた液晶パネルホルダを用いることで、外装パネルの変更を必要としない構成のデジタルカメラを開示する。しかし、特許文献１はデジタルカメラに関する技術であるため、支持台に関しては開示も示唆もされていない。
【０００７】
本発明は以上の事情に鑑みてされたものであり、その主要な目的は、支持台を備えた表示装置において、制御側筐体の形状が変わった場合であっても、支持台に掛かるコストの増加を抑制する表示装置を提供することにある。
【課題を解決するための手段及び効果】
【０００８】
本発明の解決しようとする課題は以上の如くであり、次にこの課題を解決するための手段とその効果を説明する。
【０００９】
本発明の第１の観点によれば、以下の構成の表示装置が提供される。即ち、この表示装置は、表示パネルと、表示側筐体と、メイン基板と、制御側筐体と、支持台と、を備える。前記表示パネルは、画像を表示する。前記表示側筐体には、前記表示パネルが取り付けられる第１取付面と、その反対側に位置する第２取付面と、が形成されている。前記表示側筐体は、前記第１取付面に取り付けられた前記表示パネルの一部を覆う。前記メイン基板は、前記表示パネルに画像を表示する制御を行う。前記制御側筐体は、前記表示側筐体の前記第２取付面に取り付けられ、当該表示側筐体とともに、少なくとも前記メイン基板を覆う。前記支持台は、前記表示側筐体及び前記制御側筐体のうち、前記表示側筐体のみに取り付けられ、前記表示パネル、前記表示側筐体、及び前記制御側筐体を支持する。また、前記表示側筐体には、前記第２取付面から前記表示パネルの反対側へ突出する突出部が形成されている。前記突出部には、前記支持台が取り付けられる支持台取付部が形成されている。
【００１０】
これにより、支持台が制御側筐体ではなく表示側筐体に取り付けられるので、表示装置の改良又は新規開発により制御側筐体の外形の形状が変化した場合であっても、同じ支持台を用いることができる。そのため、支持台を新たに製造する必要がないため、表示装置の改良等に掛かるコストを抑えることができる。また、表示装置を改良等しても支持台の取付作業が変わらないため、作業者の負担を軽減できる。また、表示側筐体の突出部に支持台取付部が形成されていることで、表示装置の支持箇所を重心に近くすることができるので、表示装置を安定的に支持できる。
【００１３】
前記の表示装置においては、前記突出部は、前記第２取付面の端部から突出するように形成されていることが好ましい。
【００１４】
これにより、制御側筐体が第２取付面の大部分を占める場合であっても、第２取付面に突出部（支持台取付部）を形成することができる。
【００１５】
前記の表示装置においては、前記制御側筐体のうち前記表示パネルの前記突出部に対応する位置には、当該突出部を通すための切欠きが形成されていることが好ましい。
【００１６】
これにより、第２取付面と制御側筐体の大きさが略等しい場合であっても、第２取付面に突出部（支持台取付部）を形成することができる。
【００１７】
前記の表示装置においては、以下の構成とすることが好ましい。即ち、前記表示側筐体には、表示パネル基板が配置される。前記表示側筐体は、前記表示パネルのハードウェアに関する制御を行う。
【００１８】
これにより、表示側筐体の内部に配置される基板（表示パネル基板）で画像に関する処理を行わないため、メイン基板や制御側筐体を改良した場合において、支持台及び表示側筐体だけでなく表示パネル及び表示パネル基板を使いまわすことができる。従って、表示装置の改良等に掛かるコストを一層抑えることができる。
【００１９】
前記の表示装置においては、前記表示側筐体に前記支持台が取り付けられる部分において、前記支持台が前記表示側筐体よりも外側に位置していることが好ましい。
【００２０】
これにより、支持台を取り付けるときに制御側筐体が邪魔になることがないので、取付作業をスムーズに行うことができる。
【００２１】
本発明の第２の観点によれば、以下の表示装置製造方法が提供される。即ち、この表示装置製造方法は、表示パネル取付工程と、制御側筐体取付工程と、支持台取付工程と、を含む。前記表示パネル取付工程では、画像を表示する表示パネルの一部を覆うように、当該表示パネルを表示側筐体の第１取付面に取り付ける。前記制御側筐体取付工程では、前記表示パネルに画像を表示する制御を行うメイン基板を、前記表示側筐体と制御側筐体とで覆うように、前記第１取付面の反対側に位置する第２取付面に前記制御側筐体を取り付ける。前記支持台取付工程では、前記表示パネル、前記表示側筐体、及び前記制御側筐体を支持する支持台を、前記表示側筐体及び前記制御側筐体のうち前記表示側筐体のみに取り付ける。前記表示側筐体には、前記第２取付面から前記表示パネルの反対側へ突出する突出部が形成されている。前記突出部には、前記支持台が取り付けられる支持台取付部が形成されている。前記支持台取付工程では、前記表示側筐体の前記支持台取付部に前記支持台が取り付けられる。
【００２２】
これにより、支持台が制御側筐体ではなく表示側筐体に取り付けられるので、表示装置の改良又は新規開発により制御側筐体の外形の形状が変化した場合であっても、表示装置の改良等に掛かるコストを抑えることができる。また、表示側筐体の突出部に支持台取付部が形成されていることで、表示装置の支持箇所を重心に近くすることができるので、表示装置を安定的に支持できる。
【００２３】
前記の表示装置製造方法においては、前記表示パネル取付工程、前記制御側筐体取付工程、及び前記支持台取付工程では、複数種類の制御側筐体に対応可能な構成の前記表示パネル及び前記表示側筐体が用いられることが好ましい。
【００２４】
これにより、メイン基板や制御側筐体を改良した場合において、支持台だけでなく表示パネル及び表示側筐体を使いまわすことができるので、表示装置の改良等に掛かるコストを一層抑えることができる。
【図面の簡単な説明】
【００２５】
【図１】本発明の一実施形態に係る表示装置の斜視図。
【図２】表示装置の電気的構成を示すブロック図。
【図３】表示装置本体の分解斜視図。
【図４】表示装置本体に支持台を取り付ける様子を示す斜視図。
【発明を実施するための形態】
【００２６】
次に、図面を参照して本発明の実施形態を説明する。初めに、図１及び図２を参照して、本実施形態の表示装置１について説明する。
【００２７】
表示装置１は、図略の舶用機器（レーダ装置、魚群探知機、航法装置等）と接続されており、これらの舶用機器で生成された画像を表示画面に表示する装置である。図１に示すように、表示装置１は、表示装置本体５と、表示装置本体５を支持する支持台４０と、を備えている。また、表示装置本体５は、表示パネル１０と、表示側筐体２０と、制御側筐体３０と、を備えている。
【００２８】
表示パネル１０は、舶用機器で生成された画像を表示するための表示画面１１を備えている。また、表示パネル１０は、タッチスクリーン機能を備えた液晶パネルとして構成されている。なお、表示パネル１０は液晶パネルに限られず、例えば有機ＥＬパネル又はプラズマディスプレイパネルであっても良い。また、タッチスクリーン機能を有していなくても良い。なお、表示画面１１の近傍には電源キー１２が配置されている。
【００２９】
表示側筐体２０の内部には、図２に示すように、表示パネル基板５１と、電源キー基板５２と、が配置されている。表示パネル基板５１は、表示パネル１０の制御、特に表示パネル１０に配置されるハードウェアの制御を行う。具体的には、表示パネル基板５１は、表示パネル１０のバックライトの明るさ又は点灯の有無等に関する制御、及び、表示パネル１０に行われたタッチ操作を検出する等の制御を行う。電源キー基板５２は、電源キー１２が押されたことを検出可能である。
【００３０】
制御側筐体３０の内部には、電源基板５３と、メイン基板５４と、が配置されている。電源基板５３は、外部の電源から電力が供給される。電源基板５３は、外部の電源から供給された電力を、電圧等を調整した後に、メイン基板５４へ供給する。メイン基板５４に供給された電力は、一部がメイン基板５４で消費され、残りは表示パネル１０及び表示パネル基板５１等へ出力される。
【００３１】
メイン基板５４は、表示装置１を構成する各基板及び表示パネル１０と電気的に接続されている。メイン基板５４には、上述の舶用機器から画像信号等が入力される。メイン基板５４は、ＲＯＭ等で構成される記憶部と、ＣＰＵ等で構成される制御部と、を備える。記憶部には表示画面１１に画像を表示する表示プログラムが記憶されている。制御部は、記憶部に記憶された表示プログラムをＲＡＭ等に呼び出して実行することで、例えば画像を生成して、表示画面１１に画像を表示する。また、メイン基板５４は、ユーザがタッチスクリーンに対して行った操作に基づいて、表示する画像を切り替えたり分割したりして表示する等の制御を行う。
【００３２】
このように、本実施形態の表示装置１では、画像の表示内容に関する制御は表示パネル基板５１ではなくメイン基板５４で行われる。また、表示パネル基板５１は、表示パネル１０のハードウェアに関する制御のみを行う。従って、本実施形態では、表示装置１が改良されてソフトウェアとしての新たな機能が追加された場合は、表示パネル１０、表示パネル基板５１、電源キー基板５２をそのまま用いることができる。
【００３３】
次に、図３及び図４を参照して、表示装置１の機械的構成及び組立方法について説明する。
【００３４】
図３に示すように、表示装置本体５を組み立てる際には、表示パネル１０の裏側（表示画面１１の反対側）に、表示側筐体２０、制御側筐体３０の順に取り付けられる。なお、表示装置本体５を構成する各部（筐体及び基板）を取り付ける順番は任意である。例えば、表示パネル１０に、各基板、表示側筐体２０、及び制御側筐体３０を適宜の順番で積み上げるように取り付けても良い。また、表示側筐体２０及び制御側筐体３０にそれぞれ基板を取り付けた後に、表示パネル１０に表示側筐体２０を取り付け、その後、表示側筐体２０に制御側筐体３０を取り付けても良い。
【００３５】
図３に示すように、表示側筐体２０は、表示パネル取付部２１と、制御側筐体取付部２５と、を備えている。表示パネル取付部２１は、表示側筐体２０の表側（表示画面１１側）の部分である。表示パネル取付部２１には、第１取付面２２が形成されている。第１取付面２２には、例えば接着剤等を用いて表示パネル１０が取り付けられる。
【００３６】
制御側筐体取付部２５は、表示パネル取付部２１から裏側に突出する枠状の部材である。制御側筐体取付部２５には、第２取付面２６が形成されている。なお、第２取付面２６は、第１取付面２２の裏側（反対側）に位置する面である。第２取付面２６には、複数の取付孔２７が形成されている。
【００３７】
また、第２取付面２６には、第２取付面２６から略垂直に（表示パネル１０の反対側に）突出するように２つの突出部２８が形成されている。表示画面１１の横方向（図３の左右方向）を単に「横方向」、表示画面１１の縦方向（図３の略上下方向）を単に「縦方向」と称したときに、突出部２８は、第２取付面２６の横方向の両端部であって、第２取付面２６の縦方向の中央部に形成されている。２つの突出部２８には、それぞれ肉抜き部２８ａと、支持台取付孔（支持台取付部）２８ｂと、が形成されている。肉抜き部２８ａは、突出部２８の内側の先端部分に形成されている。支持台取付孔２８ｂは、軸方向が横方向と一致している貫通孔である。
【００３８】
制御側筐体３０は、表示側筐体取付部３１と、カバー部３５と、を備えている。表示側筐体取付部３１は、制御側筐体３０の表側に位置する部分であり、制御側筐体３０の縁を構成する平板状の部分である。表示側筐体取付部３１には、突出部２８に対応する位置に切欠き３２が形成されている。換言すれば、切欠き３２は、表示側筐体取付部３１の横方向の両端部であって、表示側筐体取付部３１の縦方向の中央部に形成されている。従って、制御側筐体３０を表示側筐体２０に取り付けたときに、突出部２８は切欠き３２を通る。これにより、第２取付面２６と表示側筐体取付部３１の大きさが略等しいにもかかわらず、第２取付面２６に突出部２８を形成することができる。
【００３９】
また、表示側筐体取付部３１には、複数の取付孔３３が形成されている。取付孔３３と取付孔２７の位置を合わせてネジを挿入して締め付けることで、制御側筐体３０が表示側筐体２０に取り付けられる。これにより、表示装置本体５の組立てが完了する。
【００４０】
カバー部３５は、表示側筐体取付部３１から更に裏側に突出するように形成された箱状の部分である。カバー部３５の内部には空間が形成されており、この空間に電源基板５３及びメイン基板５４等が位置する。
【００４１】
次に、図４に示すように、表示装置本体５に支持台４０が取り付けられる。支持台４０は、ベース部４１と、一対のアーム部４２と、補強部４５と、を備えている。
【００４２】
ベース部４１は、表示装置１の使用時において所定の位置に載置される平板状の部分である。ベース部４１の長手方向の両端部には、当該ベース部４１から略垂直に立ち上がるように一対のアーム部４２が形成されている。
【００４３】
一対のアーム部４２は、基端部がベース部４１に接続されるとともに、その反対側の先端部には筐体取付凹部４３が形成されている。一対の筐体取付凹部４３と、表示側筐体２０の一対の支持台取付孔２８ｂと、を合わせて取付具４４を挿入して締め付けることで、表示装置本体５に支持台４０が取り付けられる。このように本実施形態では、支持台４０が表示装置本体５を横方向から挟み込むようにして支持する。なお、取付具４４を緩めて表示装置本体５を所定の角度にして、取付具４４を再び締め付けることで、表示装置本体５の向き（チルト角）を調整することができる。
【００４４】
また、取付けが完了した状態（図１）において、突出部２８よりもアーム部４２の方が外側に位置している。このような取付構造を採用する場合、支持台４０を取り付ける際に制御側筐体３０が邪魔になることがないので、取付作業をスムーズに行うことができる。
【００４５】
補強部４５は、一対のアーム部４２の背面側同士を接続するように、かつ、アーム部４２に近づく程、高さが高くなるように形成されている。補強部４５は、アーム部４２を補強するため等に設けられている。
【００４６】
従来の表示装置では、支持台は、表示側筐体ではなく制御側筐体に取り付けられていた。そのため、機能の追加等によってメイン基板の形状や配置される部品が変更になり制御側筐体の形状が変わった場合、それに応じて支持台を新たに製造する必要があった。
【００４７】
この点、本実施形態では、制御側筐体３０ではなく表示側筐体２０に支持台４０が取り付けられる。更に、表示パネル基板５１は表示パネル１０のハードウェアに関する制御しか行わないため、複数種類のメイン基板５４に対応可能である。従って、本実施形態の表示パネル１０、及び表示側筐体２０（内部の表示パネル基板５１等を含む）は、改良等により形状が変化した制御側筐体３０にも問題なく取り付けることができる。そのため、表示装置１の改良等に伴うコストの増加を抑えることができる。
【００４８】
なお、従来では、表示側筐体の裏表方向の長さ（奥行き）が短い場合、支持台を取り付けることが困難という事情があった。更に、制御側筐体は裏表方向の長さが長いため、表示側筐体に支持台を取り付けられたとしても、重心から離れた位置で表示装置本体を支持することになってしまう。
【００４９】
この点、本実施形態では、表示側筐体２０から裏側に突出させた突出部２８に支持台４０が取り付けられるため、表示側筐体２０の裏表方向の長さが短いにもかかわらず、表示側筐体２０に支持台４０を取り付けることができる。また、突出部２８に支持台４０を取り付けることで、表示装置本体５の支持箇所を重心に近くすることができるので、表示装置本体５を安定的に支持できる。
【００５０】
以上に示したように、本実施形態の表示装置１は、表示パネル１０と、表示側筐体２０と、メイン基板５４と、制御側筐体３０と、支持台４０と、を備える。表示パネル１０は、画像を表示可能である。表示側筐体２０には、表示パネル１０が取り付けられる第１取付面２２と、その反対側に位置する第２取付面２６と、が形成されており、第１取付面２２に取り付けられた表示パネル１０の一部を覆う。メイン基板５４は、表示パネル１０に画像を表示する制御を行う。制御側筐体３０は、表示側筐体２０の第２取付面２６に取り付けられ、当該表示側筐体２０とともに、少なくともメイン基板５４を覆う。支持台４０は、表示側筐体２０及び制御側筐体３０のうち、表示側筐体２０のみに取り付けられ、表示パネル１０、表示側筐体２０、及び制御側筐体３０を支持する。
【００５１】
これにより、支持台４０が表示側筐体２０に取り付けられるので、表示装置１の改良又は新規開発により制御側筐体３０の外形の形状が変化した場合であっても、同じ支持台４０を用いることができる。そのため、表示装置１の改良等に掛かるコストを抑えることができる。また、表示装置１を改良等しても支持台４０の取付作業が変わらないため、作業者の負担を軽減できる。
【００５２】
以上に本発明の好適な実施の形態を説明したが、上記の構成は例えば以下のように変更することができる。
【００５３】
支持台取付孔２８ｂの位置は任意であり、適宜変更することができる。例えば、上記の実施形態では第２取付面２６の横方向の両端部に支持台取付孔２８ｂ形成されているが、縦方向の両端部に支持台取付孔２８ｂが形成されていても良い。なお、例えば表示側筐体２０が大きい場合は、端部ではなく少し中央よりに突出部２８及び支持台取付孔２８ｂを形成しても良い。また、支持台取付孔２８ｂは、突出部２８ではなく、表示側筐体２０の側面（第１取付面２２と第２取付面２６に垂直な面）に取り付けられていても良い。
【００５４】
表示装置本体５と支持台４０の取付方法は、取付具４４を用いる方法に限られず、適宜変更することができる。例えば、表示側筐体２０に取付金具を取り付け、当該取付金具を介して支持台４０が取り付けられていても良い。この場合、取付金具の位置は、任意であり、例えば表示側筐体２０の下側にのみ取り付けられていても良い。
【００５５】
上記の実施形態では、電源基板５３とメイン基板５４とを別の基板で構成しているが、両方の機能を備えた１枚の基板を用いても良い。
【００５６】
本発明の表示装置は、船舶用に限られず、例えば他の移動体のナビゲーション装置及びパーソナルコンピュータ等、様々な機器に適用することができる。
【符号の説明】
【００５７】
１  表示装置
１０  表示パネル
１１  表示画面
２０  表示側筐体
２２  第１取付面
２６  第２取付面
２８  突出部
２８ｂ  支持台取付孔（支持台取付部）
３０  制御側筐体
３２  切欠き
４０  支持台
４２  アーム部
【図１】
0006338495.tif 000002
【図２】
0006338495.tif 000003
【図３】
0006338495.tif 000004
【図４】
0006338495.tif 000005